(57)【要約】      （修正有）【課題】特に女性の下着等の盗難を防止し、個人のプライバシーを保護し、他人に洗濯物を見られないようにした洗濯ハンガー用カバーを提供する。【解決手段】複数のピンチ１を備えた枠体２を吊下具３で吊下げる洗濯ハンガー４に被せて装着するカバーであり、周側面５と上面６を有する円筒状あるいは角筒状に形成され、上面６中央には吊下具３を通すための穴７を形成し、周側面５の縦の長さを上面６の縦や横よりも長く形成し、柔軟性と通気性と不透視性あるいは半不透視性を有する塩化ビニール樹脂、ナイロン樹脂またはポリエステル製布、ネットまたは紙で周側面５と上面６が形成され、周側面５と上面６に複数の色を使った柄８が施されたことを特徴とする。また、周側面５の下側を輪ゴムやひも等で括ってカバーの下を窄めることも可能である。【選択図】図２
0003110931.tif 000002
【実用新案登録請求の範囲】
【請求項１】
複数のピンチ（１）を備えた枠体（２）を吊下具（３）で吊下げる洗濯ハンガー（４）に被せて装着するカバーであり、周側面（５）と上面（６）を有する円筒状あるいは角筒状に形成され、上面（６）中央には吊下具（３）を通すための穴（７）を形成し、周側面（５）の縦の長さを上面（６）の縦や横よりも長く形成し、柔軟性と通気性と不透視性あるいは半不透視性を有する塩化ビニール樹脂、ナイロン樹脂またはポリエステル製布、ネットまたは紙で周側面（５）と上面（６）が形成され、周側面（５）と上面（６）に複数の色を使った柄（８）が施されたことを特徴とする洗濯ハンガー用カバー。
【請求項２】
周側面（５）の下側を輪ゴムやひも等で括ってカバーの下を窄めることが可能であることを特徴とする請求項１記載の洗濯ハンガー用カバー。
【考案の詳細な説明】
【技術分野】
【０００１】
本考案は、洗濯物をピンチに吊るして乾燥させる洗濯ハンガーに装着することにより、特に女性の下着等を人目に触れずに乾燥させることができ、盗難を防止し、個人のプライバシーを保護することのできる洗濯ハンガー用カバーに関するものである。
【背景技術】
【０００２】
従来、洗濯物を干す場合、複数のピンチの付いた枠体を吊下げただけの構造である洗濯ハンガーが用いられており、洗濯物をピンチで吊るし、外に出して天日と外気にさらして乾燥させる。洗濯ハンガーの機能はただ洗濯物を吊って干すということだけである。
【０００３】
そこで、実開平６−３６５９３（目かくしカバー付ピンチハンガー）のように、側面にカバーを設けた洗濯ハンガーが考案された。ハンガーの周囲にカバーを吊る構造や、カーテンを設ける構造であった。
【０００４】
【特許文献１】実開平６−３６５９３
【考案の開示】
【考案が解決しようとする課題】
【０００５】
上記した従来の洗濯ハンガーは、洗濯物が完全に露出しており、人の目にさらされるので、プライバシーを守ることができず、盗難の被害にあいやすい。また、吊下げ具と枠体とピンチだけの構造なので、ファッション性が低い。
【０００６】
実開平６−３６５９３（目かくしカバー付ピンチハンガー）の場合、側面のアングルからは洗濯物が見えないが、上や下からは簡単に見えてしまっていた。また、ハンガーの周囲にカバーを吊るすにせよ、カーテンを張るにせよ、装着が非常に面倒であった。また、普通の洗濯ハンガーの周囲をカバーで隠すだけの構造なのでピンチやフレームが露出しており、ファッション性が非常に低かった。カバーには色も柄も配慮されておらず、白や無地ということになると、カバーの中の洗濯物が透けて見えてしまっていた。特に。色柄の洗濯物はカバーを透して見えてしまいやすい。
【０００７】
本考案は、洗濯物を人目にさらすことなく干すことができ、プライバシーを守り、盗難を防止し、装着が容易で、ファッション性の高い洗濯ハンガー用カバーを低価格で提供することを目的としたものである。
【課題を解決するための手段】
【０００８】
請求項１の本考案は、複数のピンチを備えた枠体を吊下具で吊下げる洗濯ハンガーに被せて装着するカバーであり、周側面と上面を有する円筒状あるいは角筒状に形成され、上面中央には吊下具を通すための穴を形成し、周側面の縦の長さを上面の縦や横よりも長く形成し、柔軟性と通気性と不透視性あるいは半不透視性を有する塩化ビニール樹脂、ナイロン樹脂またはポリエステル製布、ネットまたは紙で周側面と上面が形成され、周側面と上面に複数の色を使った柄が施されたことを特徴とする。
【０００９】
請求項２の本考案は、請求項１に記載された洗濯ハンガー用カバーにおいて、周側面の下側を輪ゴムやひも等で括ってカバーの下を窄めることが可能であることを特徴とする。
【考案の効果】
【００１０】
上記した本考案の洗濯ハンガー用カバーによれば、洗濯物を人目にさらすことなく干すことができ、プライバシーを守り、盗難を防止し、装着が容易で、ファッション性が高い。上面の穴に吊下具を通して上から被せるだけなので、装着が非常に容易である。カバーできるアングルは、上面と側面であるが、周側面の縦が長いので下からも見えにくい。また、周側面の下部を輪ゴムやひも等で括り窄めることにより完全に見えなくすることもできる。周側面と上面に複数の色を使った柄が施されているので、ハンガー全体を色柄が包むため、中の洗濯物が非常に見えにくくなる。カバーに色柄を施すことにより、色柄の洗濯物も見えにくくすることができる。色柄のデザインや絵等によってファッション性を高めることができる。洗濯物だけでなく、吊下具の上部を除いたピンチや枠体もカバーしてしまうので、外観が非常にすっきりしてきれいにみえる。
【考案を実施するための最良の形態】
【００１１】
以下、本考案の実施の形態を図面に基づいて説明するが、本考案がこれにのみ限定されるべきでないことはいうまでもない。
【００１２】
図１と図３は本考案の洗濯ハンガー用カバーをあらわしている。図１は角型に形成されたカバーであり、図３は丸型に形成されたカバーである。角型に形成するか丸型に形成するかは、洗濯ハンガー４の枠体２の形状に合わせる。洗濯ハンガー４は、複数のピンチ１を備えた枠体２を吊下具３で吊下げている。カバーの材質は、柔軟性と通気性と不透視性あるいは半不透視性を有した塩化ビニール樹脂、ナイロン樹脂またはポリエステル製布、ネットまたは紙であるが、本実施形態においてはネットを用いている。図１のカバーは周側面５と上面６を有する角筒状に形成され、図３のカバーは周側面５と上面６を有する円筒状に形成されている。上面６の中央には吊下具３を通すための穴７が形成されている。図２と図４は本考案の洗濯ハンガー用カバーを洗濯ハンガー４に装着した状態をあらわしている。穴７に吊下具３を通してカバーを洗濯ハンガー４に被せると、上面６の形が吊下具３を覆う形に自然に変形する。周側面５は枠体２とピンチ１と洗濯物を覆って垂れ下がる。周側面５の縦の長さは上面６の縦や横よりも長く形成されており、洗濯物を下方まで十分カバーすることができる。周側面５と上面６には複数の色を使った柄８が施されている。図５と図６のカバーには柄８を例示しているが、パターン柄でもいいし、絵でもいいし、デザインは自由である。複数の色を用いることと、デザインが描かれることによって、よりカバーの中身が見えにくくなる。図５と図６以外の図では柄８をあらわしていないが、これは本考案の構造を見やすくための便宜的なものであり、実際には周側面５と上面６には柄８が施されていて、中の洗濯物を見ることができないようになっている。周側面５は縦に比較的長く形成されており、図６に示すように、周側面５の下側を輪ゴムやひも等で括ってカバーの下を窄めることができ、こうすることで下のアングルからも洗濯物が見えなくすることができる。
【図面の簡単な説明】
【００１３】
【図１】本考案に係わる角型の洗濯ハンガー用カバーをあらわす斜視図である。
【００１４】
【図２】図１の洗濯ハンガー用カバーの使用例をあらわす説明図。
【００１５】
【図３】本考案に係わる丸型の洗濯ハンガー用カバーをあらわす斜視図である。
【００１６】
【図４】図３の洗濯ハンガー用カバーの使用例をあらわす説明図。
【００１７】
【図５】洗濯ハンガー用カバーの使用例をあらわす説明図。
【００１８】
【図６】洗濯ハンガー用カバーの使用例をあらわす説明図。
【符号の説明】
【００１９】
１    ピンチ
２    枠体
３    吊下具
４    洗濯ハンガー
５    周側面
６    上面
７    穴
８    複数の色を使った柄
【図１】
0003110931.tif 000003
【図２】
0003110931.tif 000004
【図３】
0003110931.tif 000005
【図４】
0003110931.tif 000006
【図５】
0003110931.tif 000007
【図６】
0003110931.tif 000008